(57)【要約】【課題】プランジャ内に仕切部材が挿入されるラッシュアジャスタにおいて、低圧室への作動油量を増加させる。【解決手段】プランジャ１２の周壁１９には通油孔２６が設けられ、仕切部材１３はプランジャ１２内に挿入された状態で通油孔２６よりも上方に通油端３３を有する。プランジャ１２の底壁１８とボディ１１との間には高圧室２２が区画され、プランジャ１２の内部における仕切部材１３の内側には低圧室２３が区画され、プランジャ１２の内部における仕切部材１３の外側には油路４０が区画されている。仕切部材１３は、板状のバッフル部３９を有している。プランジャ１２の内部は、バッフル部３９を介して２分割され、このうち、通油孔２６が位置する側で油路４０が画成され、通油孔２６が位置する側とは反対側で低圧室２３が画成される。【選択図】図２
2014156818.tif 000002
【特許請求の範囲】
【請求項１】
有底筒状のボディと、前記ボディ内に上下移動可能に挿入される有底筒状のプランジャと、前記プランジャ内に挿入される仕切部材とを備え、前記プランジャの周壁には通油孔が設けられ、前記仕切部材は前記プランジャ内に挿入された状態で前記通油孔よりも上方に通油端を有し、前記プランジャの底壁と前記ボディとの間には高圧室が区画され、前記プランジャの内部における前記仕切部材の内側には低圧室が区画され、前記プランジャの底壁には前記高圧室と前記低圧室とに連通可能な弁孔が設けられ、前記プランジャの内部における前記仕切部材の外側には油路が区画されており、前記通油孔、前記油路及び前記通油端を経て前記低圧室に作動油が貯留され、さらに前記弁孔を通して前記高圧室に前記作動油が充填され、前記高圧室の油圧に応じて前記プランジャが上下動するラッシュアジャスタであって、
前記仕切部材は、前記プランジャ内に挿入された状態で前記通油孔と対向する位置に板状のバッフル部を有しており、
前記プランジャの内部は、前記バッフル部を介して２分割され、このうち、前記通油孔が位置する側で前記油路が画成され、前記通路孔が位置する側とは反対側で前記低圧室が画成されることを特徴とするラッシュアジャスタ。
【請求項２】
前記仕切部材は、前記バッフル部の板幅方向両端の上下方向一部から外側に延出し、前記プランジャの周壁の内周面に当接することによって前記バッフル部の起立姿勢を保持する支持部を有していることを特徴とする請求項１記載のラッシュアジャスタ。
【請求項３】
前記支持部は、前記プランジャの周壁の内周面にほぼ沿った弧状の形態とされていることを特徴とする請求項２記載のラッシュアジャスタ。
【請求項４】
前記支持部は、前記プランジャの周壁の内周面間に架設される弦状の形態とされていることを特徴とする請求項２記載のラッシュアジャスタ。
【発明の詳細な説明】
【技術分野】
【０００１】
本発明は、ラッシュアジャスタに関する。
【背景技術】
【０００２】
特許文献１に記載のラッシュアジャスタは、シリンダヘッドに固定される有底筒状のボディと、ボディ内に上下移動可能に挿入されるプランジャとを備え、プランジャの上端部でロッカアームを支承する構造とされている。プランジャの周壁には、通油孔（特許文献１では「内部連通孔」と呼称）が設けられ、プランジャの底壁には、弁孔（特許文献１では「弁口」と呼称）が設けられている。シリンダヘッドの給油孔から供給される作動油は、通油孔からプランジャ内の低圧室に貯留されるとともに、弁孔を通してボディ内に充填される。ボディの内部におけるプランジャの底壁で区画される空間は高圧室とされ、高圧室の油圧に応じてプランジャが上下動するようになっている。ところで、プランジャの上昇時には、プランジャ内の低圧室の作動油が弁孔から高圧室に吸い込まれるが、このとき、低圧室の作動油の液面高さが低いと、高圧室にエアが噛み込むおそれがある。
これに対し、特許文献１の場合、プランジャ内に円筒状の仕切部材が挿入され、仕切部材の内部に低圧室が構成されている。仕切部材には、プランジャの周壁と仕切部材との間に油路（特許文献１では「流通路」と呼称）が形成され、通油孔よりも上方に通油端（特許文献１では「切欠部」と呼称）が設けられている。このため、通油孔から油路及び通油端を経て低圧室に作動油が貯留されることになり、作動油の液面高さが通油孔よりも上方の通油端によって規定されることで、高圧室にエアが噛み込むのが防止されるようになっている。
【０００３】
この場合、仕切部材は、上下方向途中に段付き部を有し、且つ段付き部を境とする上部側に下部側よりも小径の小径部を有し、小径部とプランジャの周壁との間に油路を画成している。
【先行技術文献】
【特許文献】
【０００４】
【特許文献１】特開２００４−１９７６６５号公報
【発明の概要】
【発明が解決しようとする課題】
【０００５】
ところで、上記従来のラッシュアジャスタの場合、仕切部材の上部側が小径部として全周に亘って絞り込まれた形態になっているため、その分、低圧室の内容積が小さくなり、低圧室に充分な量の作動油を貯留することができないおそれがある。
【０００６】
本発明は上記のような事情に基づいて完成されたものであって、プランジャ内に仕切部材が挿入されるラッシュアジャスタにおいて、低圧室への作動油量を増加させることを目的とする。
【課題を解決するための手段】
【０００７】
本発明は、有底筒状のボディと、前記ボディ内に上下移動可能に挿入される有底筒状のプランジャと、前記プランジャ内に挿入される仕切部材とを備え、前記プランジャの周壁には通油孔が設けられ、前記仕切部材は前記プランジャ内に挿入された状態で前記通油孔よりも上方に通油端を有し、前記プランジャの底壁と前記ボディとの間には高圧室が区画され、前記プランジャの内部における前記仕切部材の内側には低圧室が区画され、前記プランジャの底壁には前記高圧室と前記低圧室とに連通可能な弁孔が設けられ、前記プランジャの内部における前記仕切部材の外側には油路が区画されており、前記通油孔、前記油路及び前記通油端を経て前記低圧室に作動油が貯留され、さらに前記弁孔を通して前記高圧室に前記作動油が充填され、前記高圧室の油圧に応じて前記プランジャが上下動するラッシュアジャスタであって、前記仕切部材は、前記プランジャ内に挿入された状態で前記通油孔と対向する位置に板状のバッフル部を有しており、前記プランジャの内部は、前記バッフル部を介して２分割され、このうち、前記通油孔が位置する側で前記油路が画成され、前記通路孔が位置する側とは反対側で前記低圧室が画成されるところに特徴を有する。
【発明の効果】
【０００８】
プランジャの内部が板状のバッフル部を介して２分割され、このうち、通油孔が位置する側とは反対側で低圧室が画成されるため、低圧室が仕切部材により全周に亘って取り囲まれる場合に比べ、低圧室の内容積を大きく確保することができ、低圧室の作動油量を増加させることができる。
【図面の簡単な説明】
【０００９】
【図１】本発明の実施例１のラッシュアジャスタを組み込んだ内燃機関の全体図である。
【図２】ラッシュアジャスタの断面図である。
【図３】仕切部材が挿入されたプランジャの断面図である。
【図４】仕切部材の展開図である。
【図５】プランジャの内部が仕切部材で２分割された状態をあらわす平面視方向から見た断面図である。
【図６】本発明の実施例２のラッシュアジャスタにおける図５相当図である。
【発明を実施するための形態】
【００１０】
本発明の好ましい形態を以下に示す。  
前記仕切部材は、前記バッフル部の板幅方向両端の上下方向一部から外側に延出し、前記プランジャの周壁の内周面に当接することによって前記バッフル部の起立姿勢を保持する支持部を有している。かかる支持部によってバッフル部がプランジャ内に安定して支持される。しかも、支持部はバッフル部の板幅方向両端の上下方向一部から延出するに過ぎないため、支持部によって低圧室の内容積が格別小さくなることもない。
【００１１】
前記支持部は、前記プランジャの周壁の内周面にほぼ沿った弧状の形態とされている。これにより、支持部の保持力が高められ、仕切部材が支持部によってプランジャ内にいっそう安定して支持される。
【００１２】
前記支持部は、前記プランジャの周壁の内周面間に架設される弦状の形態とされている。これにより、支持部の形状が簡素化されて加工が容易になるとともに、支持部の延出長さが短くて済むことから、低圧室に占める支持部の範囲を狭くすることができ、その分、低圧室の内容積を増加させることができる。
【００１３】
＜実施例１＞
本発明の実施例１を図１〜図５によって説明する。実施例１のラッシュアジャスタ１０は、図１に示すように、内燃機関の動弁装置に組み込まれる。動弁装置は、ラッシュアジャスタ１０に加え、バルブ５０、ロッカアーム６０及びカム７０を備えている。
【００１４】
ラッシュアジャスタ１０は、シリンダヘッド９０の取付凹部９１に上方から挿入され、バルブ５０は、シリンダヘッド９０の吸気又は排気ポート８０を開閉可能に設けられる。また、ロッカアーム６０は、ラッシュアジャスタ１０の上端部（後述するプランジャ１２の支承部２５）とバルブ５０の上端部との間に左右方向に架け渡して配置され、カム７０は、ロッカアーム６０の上方にロッカアーム６０のローラ６１と摺動可能に配置されている。ここで、カム７０が回転すると、ロッカアーム６０がラッシュアジャスタ１０の上端部を支点として揺動し、それに伴ってバルブ５０が上下動して吸気又は排気ポート８０が開閉されるようになっている。
【００１５】
続いて、ラッシュアジャスタ１０について具体的に説明する。ラッシュアジャスタ１０は、図２に示すように、ボディ１１と、プランジャ１２と、仕切部材１３とを備えている。ボディ１１は、円形板状の底壁部１４と、底壁部１４の外周から立ち上がる円筒状の周壁部１５とを有し、全体として有底筒状をなしている。ボディ１１は、シリンダヘッド９０の取付凹部９１に嵌入可能とされている。ボディ１１の周壁部１５には、外側通油孔１６が貫通して設けられている。外側通油孔１６は、取付凹部９１内においてシリンダヘッド９０の給油孔９２に連通して配置される。また、ボディ１１の外周面には、環状凹部１７が全周に亘って設けられ、この環状凹部１７に、外側通油孔１６が開口している。このため、仮に、ボディ１１が取付凹部９１内で回転しても、環状凹部１７を介して外側通油孔１６と給油孔９２との連通状態が保たれるようになっている。
【００１６】
プランジャ１２は、円形板状の底壁１８と、底壁１８の外周から立ち上がる円筒状の周壁１９とを有し、全体として有底筒状をなしている。底壁１８の中心部には、弁孔２０が貫通して設けられている。弁孔２０は、後述するように、弁体２１を介して高圧室２２と低圧室２３とを連通可能としている。周壁１９の上端部には、径方向に絞られて中心部に貫通孔２４を有する半球状の支承部２５が設けられている。支承部２５の外側の半球面には、ロッカアーム６０がその揺動時に摺動するようになっている。
【００１７】
また、周壁１９には、通油孔２６が設けられている。周壁１９の外周面には、環状凹所２７が全周に亘って設けられ、この環状凹所２７に、通油孔２６が開口している。通油孔２６は、環状凹所２７を介してボディ１１の外側通油孔１６と連通しており、ボディ１１内でプランジャ１２が回転した場合にもその連通状態が保たれるようになっている。
【００１８】
図２に示すように、ボディ１１内にプランジャ１２が挿入された状態で、ボディ１１の底部のうち、プランジャ１２の底壁１８とボディ１１との間に区画される部分は、高圧室２２とされている。高圧室２２には、球形の弁体２１が設けられている。弁体２１は、ケージ状のリテーナ２８内に収容され、第１バネ２９によって弁孔２０を閉じる方向に付勢されている。また、高圧室２２には、ボディ１１の底壁部１４とリテーナ２８の上縁部との間に、第２バネ３０が設けられている。プランジャ１２は、第２バネ３０によって上方に付勢されている。
【００１９】
また、プランジャ１２内には、仕切部材１３が挿入されている。仕切部材１３は、一枚の金属製の平板からなり、図３及び図４に示すように、上下方向に細長く延びる矩形状のバッフル部３９と、バッフル部３９の板幅方向両端から幅方向外方に突出する複数の支持部３８とで構成されている。
【００２０】
バッフル部３９は、プランジャ１２の内径（内周面の直径）よりも小さい板幅寸法を有し、且つ上下方向に同幅で延びる形態とされている。図２及び図５に示すように、プランジャ１２内に仕切部材１３が挿入された状態では、バッフル部３９の第１板面３７が通油孔２６と対向し、且つ、バッフル部３９の板幅方向両端がプランジャ１２の周壁１９の内周面に当接しつつ上下方向に沿って配置されるとともに、バッフル部３９の下端がプランジャ１２の底壁１８の上面に当接しつつ弦方向に沿って配置される。実施例１の場合、バッフル部３９の第１板面３７は、通油孔２６の貫通方向とほぼ直角な方向に沿って配置されるようになっている。
【００２１】
図５に示すように、プランジャ１２の周壁１９において、バッフル部３９を境として分割される２つの円弧のうち、通油孔２６が位置する側は、劣弧とされ、通油孔２６が位置しない側は、優弧とされる。そして、プランジャ１２内に仕切部材１３が挿入された状態で、プランジャ１２の周壁１９における劣弧側の内周面とバッフル部３９の第１板面３７との間には、油路４０が画成される。油路４０は、断面半月状であって、図２に示すように、上下方向に細長く延びる形態とされ、その下端がプランジャ１２の底壁１８によって閉止されるとともに、その上端がバッフル部３９の上端に臨む位置に開放されるようになっている。また、バッフル部３９の上端は、通油端３３として構成され、通油孔２６よりも上方においてプランジャ１２の支承部２５と近接して配置される。
【００２２】
また、図５に示すように、プランジャ１２内に仕切部材１３が挿入された状態で、プランジャ１２の周壁１９における優弧側の内周面とバッフル部３９の第２板面３６（通油孔２６と対向する面（第１板面３７）とは反対側の面）との間には、低圧室２３が画成される。低圧室２３は、断面切頭円形状であって、図２に示すように、上下方向に延びる形態とされ、その下端がプランジャ１２の底壁１８の臨んで弁孔２０に連通するとともに、その上端がバッフル部３９の上端によって規定される。かかる低圧室２３は、油路４０よりも充分に大きい内容積を有している。
【００２３】
図４に示すように、支持部３８は、バッフル部３９の板幅方向両端における下端部と上下方向途中部とに一体に連結されて、バッフル部３９の延出方向と直交する方向に細長く延びる矩形状の形態とされている。そして、図５に示すように、各支持部３８は、仕切部材１３がプランジャ１２内に挿入された状態で、プランジャ１２の内周面に沿って当接可能な円弧状の形態をとる。このとき、下側の支持部３８は、プランジャ１２の底壁の上面に沿って当接可能に配置される。また、バッフル部３９は、各支持部３８によって上下方向に起立した姿勢を保ちつつプランジャ１２内に保持されるようになっている。
【００２４】
なお、実施例１の場合、仕切部材１３は、未だ支承部２５が形成されていないプランジャ１２の上端開口からプランジャ１２内に挿入される。このとき、仕切部材１３は、プランジャ１２内に圧入され、場合によっては焼き嵌めされる。そして、仕切部材１３がプランジャ１２内に挿入された状態で、プランジャ１２の上端部が縮径方向に絞り込まれて、支承部２５が貫通孔２４とともに成形される。
【００２５】
また、シリンダヘッド９０の給油孔９２から、外側通油孔１６、通油孔２６、油路４０及び通油端３３を順次経て供給された作動油は、低圧室２３に貯留され、さらに弁孔２０を通して高圧室２２に充填される。この場合に、仕切部材１３の通油端３３が通油孔２６よりも上方に位置していることから、低圧室２３には、通油孔２６を越える高さにまで作動油が貯留される。
【００２６】
低圧室２３及び高圧室２２に作動油が導入された状態で、プランジャ１２に対してロッカアーム６０側から下向きに押圧力が付与されると、弁体２１が弁孔２０を閉じて高圧室２２が密閉され、高圧室２２の油圧によってプランジャ１２の下降が停止される。一方、ロッカアーム６０側からの押圧力の減少に伴い、プランジャ１２が上昇して高圧室２２の容積が増大すると、弁体２１が下降して弁孔２０を開き、作動油が低圧室２３から弁孔２０を通して高圧室２２に流入し、高圧室２２に作動油が満たされた状態となる。そして、プランジャ１２の上昇が停止すると、弁体２１が第１バネ２９の付勢により上昇して弁孔２０を閉じ、高圧室２２が密閉状態となる。かくして、プランジャ１２がボディ１１に対して上下動することにより、ロッカアーム６０に対する支承位置が変動して、バルブクリアランスが調整されるようになっている。
【００２７】
上述したように、実施例１によれば、プランジャ１２の内部が板状のバッフル部３９を介して２分割され、このうち、通油孔２６が位置する側では、プランジャ１２の周壁１９における劣弧側の内周面とバッフル部３９の第１板面３７とによって油路４０が画成され、通油孔２６が位置する側とは反対側では、プランジャ１２の周壁１９における優弧側の内周面とバッフル部３９の第２板面３６とによって低圧室２３が画成されるため、プランジャ１２内に挿入された円筒状の仕切部材１３の内側及び外側にそれぞれ低圧室２３及び油路４０が形成される場合と比べ、低圧室２３の内容積を大きく確保することができ、低圧室２３の作動油量を増加させることができる。
【００２８】
また、バッフル部３９が各支持部３８によってプランジャ１２内に安定して保持される。この場合、各支持部３８は、バッフル部３９の板幅方向両端の上下方向一部から延出するに過ぎないため、低圧室２３の内容積を格別狭めることもない。さらに、支持部３８がプランジャ１２の周壁１９の内周面にほぼ沿った弧状の形態とされているため、支持部３８の保持力が高められ、仕切部材１３が支持部３８によってプランジャ１２内にいっそう安定して支持される。
【００２９】
＜実施例２＞
図６は、本発明の実施例２を示す。実施例２では、仕切部材１３Ａの各支持部３８Ａの形態が実施例１とは異なるが、その他は実施例１と同様である。このため、実施例１の同様の構成には同一符号を付し、重複する説明は省略する。
【００３０】
仕切部材１３Ａは、実施例１の仕切部材１３と同様の展開形状を呈し（図４を参照）、バッフル部３９の板幅方向両端の下端部及び上下方向途中部から外側に向けて複数の支持部３８Ａが突出する形態とされている。もっとも、各支持部３８Ａは、仕切部材１３Ａがプランジャ１２内に挿入された状態で、実施例１とは異なる形態をとる。すなわち、図６に示すように、各支持部３８Ａは、仕切部材１３Ａがプランジャ１２内に挿入された状態で、バッフル部３９の第１、第２板面３７、３６に対して鋭角に交差してバッフル部３９の板幅方向両端から直線状に延びて、その延出端同士がバッフル部３９の板幅方向中央部と対向する位置で互いに当接可能とされている。この場合、各支持部３８Ａは、バッフル部３９との間に断面三角形状を呈し、プランジャ１２の周壁１９の内周面間に弦状に架設されている。このため、仕切部材１３Ａは、プランジャ１２の周壁１９の内周面に３点支持された状態で保持される。
【００３１】
実施例２によれば、各支持部３８Ａの形状がより簡素化されるため、加工が容易になる。また、各支持部３８Ａの延出長さが短くて済むことから、低圧室２３に占める支持部３８Ａの領域を狭くすることができ、その分、低圧室２３の内容積を増加させることができる。
【００３２】
＜他の実施例＞
本発明は上記記述及び図面によって説明した実施例に限定されるものではなく、例えば次のような態様も本発明の技術的範囲に含まれる。  
（１）通油端は、仕切部材の上端に切欠状に凹み形成されるものであってもよい。  
（２）仕切部材の第１、第２板面は、曲面状の湾曲面として構成されるものであってもよい。  
（３）プランジャは、上部側と下部側とに分離された状態から上部側と下部側とを一体に連結して構成されるものであってもよい。  
（４）支持部の個数及び形成位置は、任意であり、上記実施例１に限定されるわけではない。
【符号の説明】
【００３３】
１０…ラッシュアジャスタ
１１…ボディ
１２…プランジャ
１３、１３Ａ…仕切部材
１８…底壁
１９…周壁
２０…弁孔
２２…高圧室
２３…低圧室
２６…通油孔
３３…通油端
３８、３８Ａ…支持部
３９…バッフル部
４０…油路
【図１】
2014156818.tif 000003
【図２】
2014156818.tif 000004
【図３】
2014156818.tif 000005
【図４】
2014156818.tif 000006
【図５】
2014156818.tif 000007
【図６】
2014156818.tif 000008